(57)【要約】【課題】インターネット上の有料情報を最寄りの場所で容易に、且つ、正確に印刷可能にすると共に、該有料情報の課金を容易にする。【解決手段】不特定多数の携帯電話４，４…と、プリンター５，５…を備えた複数のローカルサーバ６，６…と、該携帯電話４，４…および該ローカルサーバ６，６…に情報を提供すると共に、該ローカルサーバ６，６…と該プリンター５，５…とを管理するシステム管理サーバ７とがインターネット２に接続自在に構成されて成るネットワークシステム１であって、任意の前記携帯電話４から前記システム管理サーバ７に情報の指定信号及びプリンター５の指定信号が送信されると、該システム管理サーバ７から前記ローカルサーバ６を介して指定された前記プリンター５に指定された情報が送信されて印刷されると共に、該印刷された情報に基づき前記システム管理サーバ７によって前記携帯電話４の所有者に対する課金データが作成されるように構成されて成る携帯電話及びインターネットを利用した印刷システムを提供する。【選択図】　図１
2004054411.tif 000002
【特許請求の範囲】
【請求項１】
不特定多数の携帯電話と、プリンターを備えた複数のローカルサーバと、該携帯電話および該ローカルサーバに情報を提供すると共に、該ローカルサーバ及びプリンターを管理するシステム管理サーバとがインターネットに接続自在に構成されて成るネットワークシステムであって、任意の前記携帯電話から前記システム管理サーバに情報の指定信号及びプリンターの指定信号が送信されると、該システム管理サーバから前記ローカルサーバを介して指定された前記プリンターに指定された情報が送信されて印刷されると共に、該印刷された情報に基づき前記システム管理サーバによって前記携帯電話の所有者に対する課金データが作成されるように構成されて成ることを特徴とする携帯電話及びインターネットを利用した印刷システム。
【請求項２】
上記プリンターで印刷される印刷媒体には共振タグが組み込まれ、且つ、該プリンター近傍に該共振タグの共振周波数測定手段が設けられ、印刷された印刷媒体の共振周波数を該共振周波数測定手段によって測定し、該測定情報に基づき前記印刷媒体の印刷結果を確認するように構成したことを特徴とする請求項１記載の携帯電話及びインターネットを利用した印刷システム。
【発明の詳細な説明】
【０００１】
【発明の属する技術分野】
この発明は、携帯電話及びインターネットを利用した印刷システムに関するものであり、特に、携帯電話を利用することにより、インターネット上の有料情報を最寄りの場所で容易に、且つ、正確に印刷可能にすると共に、該有料情報の課金を容易にした携帯電話及びインターネットを利用した印刷システムに関するものである。
【０００２】
【従来の技術および発明が解決しようとする課題】
従来、携帯電話を用いて、インターネット上の種々の情報を入手することは広く行われており、又、携帯電話を用いて、インターネット上に種々の情報を発信することも広く行われている。更に、携帯電話から、種々の制御信号を発信して、該制御信号に基づく制御を行うことも一般に行われている。
【０００３】
又、携帯電話を用いて、有料の情報を取得することも比較的容易であり、情報の代金は、例えば、情報料等の名目で電話代と共に同時に課金される等、支払いも比較的容易である。
【０００４】
然しながら、携帯電話のみで、チケット等の有料の印刷物を取得することは困難である。
一方、インターネットに接続されたコンピュータによってインターネット上の種々の情報を入手し、且つ、該コンピュータに接続されたプリンターによって入手した情報を印刷することも一般的に行われている。そして、プリンターによってチケット等の有料の印刷物を印刷することも可能である。
【０００５】
然しながら、この場合に於ては、有料の印刷物の課金方法、及び、専用の印刷媒体の入手方法が限定されるという問題がある。従って、該プリンターは有人の限られた販売店等に設置されることが多く、顧客にとって最寄の場所で有料の印刷物を手軽に求めることが困難であった。
【０００６】
そこで、インターネット上の有料情報を最寄りの場所で容易に、且つ、正確に印刷可能にすると共に、該有料情報の課金を容易にするために解決すべき技術的課題が生じてくるのであり、本発明はこの課題を解決することを目的とする。
【０００７】
【課題を解決するための手段】
本発明は上記目的を達成するために提案されたものであり、不特定多数の携帯電話と、プリンターを備えた複数のローカルサーバと、該携帯電話および該ローカルサーバに情報を提供すると共に、該ローカルサーバ及びプリンターを管理するシステム管理サーバとがインターネットに接続自在に構成されて成るネットワークシステムであって、任意の前記携帯電話から前記システム管理サーバに情報の指定信号及びプリンターの指定信号が送信されると、該システム管理サーバから前記ローカルサーバを介して指定された前記プリンターに指定された情報が送信されて印刷されると共に、該印刷された情報に基づき前記システム管理サーバによって前記携帯電話の所有者に対する課金データが作成されるように構成されて成る携帯電話及びインターネットを利用した印刷システム、
及び、上記プリンターで印刷される印刷媒体には共振タグが組み込まれ、且つ、該プリンター近傍に該共振タグの共振周波数測定手段が設けられ、印刷された印刷媒体の共振周波数を該共振周波数測定手段によって測定し、該測定情報に基づき前記印刷媒体の印刷結果を確認するように構成した携帯電話及びインターネットを利用した印刷システムを提供するものである。
【０００８】
【発明の実施の形態】
以下、本発明の一実施の形態を図１乃至図５に従って詳述する。図１に於て、１は概念的に示すインターネット２に接続されたネットワークシステムであり、該ネットワークシステム１は、無線電話網を介して電話局３，３…に接続される不特定多数の携帯電話４，４…と、少なくとも１台のプリンター５，５…に接続される複数のローカルサーバ６，６…と、該携帯電話４，４…および該ローカルサーバ６，６…に提供するための提供情報Ａ１を備えると共に、該提供情報Ａ１を有料で提供するための課金情報Ａ２を備え、且つ、前記ローカルサーバ６，６…、及び、前記プリンター５，５…を管理する管理情報Ａ３を備えたシステム管理サーバ７とが、前記インターネット２に接続されてネットワークが構築されている。
【０００９】
そして、前記ローカルサーバ６，６…は、例えば、スーパーマーケット、競技場、携帯電話の販売店、又は、コンビニエンスストアー等に無人設置され、前述したように少なくとも１台の表示装置５ａ，５ａ…付プリンター５，５…に接続され、該プリンター５，５…は前記システム管理サーバ７によって該プリンター５，５…を特定する番号が夫々付与され、該番号は該プリンター５，５…に備えられた表示装置５ａ、５ａ…に表示されている。
【００１０】
又、該プリンター５，５…は、例えば図２に示す如く、種々の情報に対応した印刷媒体８が印刷できるように構成されており、特に、チケット等の印刷媒体８については、該印刷媒体８の表面素材９と裏面素材１０間に共振タグ１１，１１…が組み込まれた専用紙が使用される。
【００１１】
該共振タグ１１は図３に示す如く矩形スパイラル形のコイルパターンを備えた上下金属導電体１２，１３が誘電体フィルム１４を挟持する如く積層され、互いに接着材で接着されている。そして、図４に示す前記表面素材９上に印刷されるインク１５も特定の誘電率を有する誘電材料が使用される。従って、前記共振タグ１１が組み込まれた印刷媒体８は印刷された状態の共振周波数を計算で予測することが可能である。
【００１２】
図５に於て、１６は共振周波数測定回路であり、該共振周波数測定回路１６は前記プリンター５近傍に設置され、且つ、ローカルサーバ６に接続されており、該共振周波数測定回路１６の中央演算装置１７が周波数出力制御部１８に接続され、該周波数出力制御部１８が送信アンプ１９を介して送信アンテナ２０に接続されている。一方、前記共振周波数測定回路１６内に受信アンテナ２１が備えられ、該受信アンテナ２１は受信アンプ２２を介して位相検出部２３に接続され、該位相検出部２３は位相比較回路２４に接続され、該位相比較回路２４は前記周波数出力制御部１８と前記送信アンプ１９を接続する回路に接続されている。
【００１３】
又、該位相比較回路２４と前記位相検出部２３はデータ処理部２５と接続され、該データ処理部２５は前記中央演算装置１７に接続されている。
而して、前記共振周波数測定回路１６の中央演算装置１７の指示信号により周波数出力制御部１８から出力された周波数出力信号は前記送信アンプ１９を介して送信アンテナ２０から前記印刷媒体８に向けて発信される。この時発信される信号は、一定のスキャンインターバルで、且つ、前記印刷媒体８に組み込まれた共振タグ１１の設定周波数チャンネルに合わせた設定周波数帯をスキャンする如く発信される。
【００１４】
そして、前記印刷媒体６による反射波は前記受信アンテナ２１で受信され、前記受信アンプ２２を介して前記位相検出部２３に入力し、該位相検出部２３で位相検出され、更に、前記位相比較回路２４で、前記周波数出力制御部１８から出力される信号と位相比較されて、位相差信号が前記データ処理部２５に入力し、該データ処理部２５でデータ処理されて前記中央演算装置１７に入力され、前記印刷媒体６の共振周波数が測定される。該共振周波数は前記ローカルサーバ６を介して前記システム管理サーバ７に送信され、該システム管理サーバ７で予め計算した共振周波数の計算値と比較し、該印刷媒体８上の印刷が正しくなされたかどうかを判断することができる。
【００１５】
而して、顧客Ｂが該顧客Ｂの所有する携帯電話４をかけると該携帯電話４は電話局３に接続され、更に、該携帯電話４でインターネットを選択して、前記システム管理サーバ７内の前記提供情報Ａ１のうち、必要な情報を指定し、且つ、最寄の場所に設置されたプリンター５の特定番号を指定すると、該システム管理サーバ７の提供情報Ａ１の指定情報が前記ローカルサーバ６を介して指定プリンター５に送信され、該プリンター５の表示装置５ａに表示されると共に、更に、所定の操作を行うことにより、或いは、自動的に該指定情報が印刷される。
【００１６】
そして、特に、前記プリンター５によって前記共振タグ１１が組み込まれた印刷媒体８が印刷された場合は、前記共振周波数測定回路１６によって該印刷媒体８の共振周波数を測定し、前記システム管理サーバ７によって該印刷媒体８が正確に印刷されたかどうか判断し、正確に印刷されたと判断した場合は、該システム管理サーバ７は前記課金情報Ａ２に基づき、課金データを作成し、該課金データによって、前記携帯電話４を所有する前記顧客Ｂの携帯電話料金と共に請求するか、或いは、該顧客Ｂが契約するクレジットカードの決済システム等を利用して課金する。
【００１７】
一方、前記共振周波数測定回路１６から送信された信号に基づき、前記システム管理サーバ７が前記印刷媒体８の印刷結果が不良であると判断した場合は、不良の印刷媒体を無効となるように処理すると共に、課金データを作成せず、更に、正しい印刷処理を再度行う等の処理を行う。
【００１８】
斯くして、前記ネットワークシステム１は、インターネット上の有料情報を最寄りの場所で容易に、且つ、正確に印刷可能にすると共に、携帯電話４を所有する顧客Ｂに課金することにより有料情報の課金を容易に行うことができる。
【００１９】
尚、本発明は、本発明の精神を逸脱しない限り種々の改変を為すことができ、そして、本発明が該改変されたものに及ぶことは当然である。
【００２０】
【発明の効果】
本発明は上記一実施の形態に詳述したように、請求項１記載の発明は、ネットワークシステムを構築する任意の携帯電話からシステム管理サーバに情報の指定信号及びプリンターの指定信号が送信されると、該システム管理サーバからローカルサーバを介して指定されたプリンターに、指定された情報が送信されて印刷されると共に、該印刷された情報に基づき前記システム管理サーバによって前記携帯電話の所有者に対する課金データが作成されるように構成されているので、インターネット上の有料情報を最寄りの場所で容易に印刷可能にすると共に、該有料情報の課金を容易に行うことができる。
【００２１】
又、請求項２記載の発明は、上記プリンターで印刷される印刷媒体には共振タグが組み込まれ、且つ、該プリンター近傍に該共振タグの共振周波数測定手段が設けられているため、印刷された印刷媒体の共振周波数を該共振周波数測定手段によって測定し、該測定情報に基づき前記印刷媒体の印刷結果を確認することができる為、請求項１記載の発明の効果に加え、印刷結果を確認して課金することができると共に、印刷結果が不良の場合は不良の印刷媒体を無効となるように処理すると共に、課金データを作成せず、更に、正しい印刷処理を再度行う等、適切な処理を行うことができる等、正に著大なる効果を奏する発明である。
【図面の簡単な説明】
【図１】本発明の一実施の形態を示し、ネットワークシステムの概念図。
【図２】（ａ）本発明の一実施の形態を示し、印刷媒体の分解平面図。
（ｂ）本発明の一実施の形態を示し、印刷媒体の平面図。
【図３】（ａ）図２の共振タグの正面縦断面図。
（ｂ）図２の共振タグの上部金属導電体の平面図
（ｃ）図２の共振タグの下部金属導電体の平面図
【図４】本発明の一実施の形態を示し、印刷された印刷媒体の正面縦断面図。
【図５】本発明の一実施の形態を示し、共振周波数測定回路図。
【符号の説明】
１　　　ネットワークシステム
２　　　インターネット
４　　　携帯電話
５　　　プリンター
６　　　ローカルサーバ
７　　　システム管理サーバ
８　　　印刷媒体
１１　　　共振タグ
１６　　　共振周波数測定回路
【図１】
2004054411.tif 000003
【図２】
2004054411.tif 000004
【図３】
2004054411.tif 000005
【図４】
2004054411.tif 000006
【図５】
2004054411.tif 000007